(57)【特許請求の範囲】
【請求項１】
サーバ装置による航空券情報提供方法であって、
ユーザ端末から、第１ウェブページを介してユーザによって入力された航空スケジュール情報を受信することと、
前記受信された航空スケジュール情報に対応する複数の航空券情報を収集することと、
前記収集された複数の航空券情報を飛行機便名に基づいて少なくとも一つのグループにグループ化することと、
前記少なくとも一つのグループそれぞれに含まれている航空券情報がグループ別に区分された各領域に表示される第２ウェブページを前記ユーザ端末へ伝送することと、
前記少なくとも一つのグループのうちのいずれかのグループに含まれている航空券情報が複数である場合、複数の航空券情報それぞれの価格に基づいて決定される航空券情報を前記グループの代表的な航空券情報として決定することと、
前記グループそれぞれの代表的な航空券情報のうち価格が同じ代表的な航空券情報が存在する場合、価格が同じ代表的な航空券情報のうち所要時間が最も少ない代表的な航空券情報のみを前記第２ウェブページの該当領域に埋め込む
ことを含むことを特徴とする、航空券情報提供方法。
【請求項２】
前記航空券情報提供方法は、
少なくとも一つの領域に区分された前記第２ウェブページの各領域に、前記少なくとも一つのグループそれぞれに含まれている航空券情報を埋め込むことをさらに含むことを特徴とする、請求項１に記載の航空券情報提供方法。
【請求項３】
前記航空券情報を埋め込むことは、
前記少なくとも一つのグループそれぞれで代表的な航空券情報を決定することと、
前記少なくとも一つのグループそれぞれの代表的な航空券情報を前記各領域に埋め込むことを含むことを特徴とする、請求項２に記載の航空券情報提供方法。
【請求項４】
前記代表的な航空券情報を決定することは、
前記少なくとも一つのグループのうちのいずれかのグループに含まれている航空券情報が複数である場合、複数の航空券情報それぞれの価格に基づいて決定される航空券情報を前記いずれか一つのグループの代表的な航空券情報として決定することを含むことを特徴とする、請求項３に記載の航空券情報提供方法。
【請求項５】
前記代表的な航空券情報を埋め込むことは、
前記少なくとも一つのグループそれぞれの代表的な航空券情報の価格および所要時間のうちの少なくとも一つに基づいて決定される順序で、前記少なくとも一つの領域の最上位領域から最下位領域まで前記少なくとも一つのグループそれぞれの代表的な航空券情報を埋め込むことを含むことを特徴とする、請求項３または４に記載の航空券情報提供方法。
【請求項６】
前記代表的な航空券情報を埋め込むことは、
前記少なくとも一つのグループそれぞれの代表的な航空券情報のうち価格が同じ代表的な航空券情報が存在する場合、価格が同じ代表的な航空券情報のうち所要時間が最も少ない代表的な航空券情報のみを前記第２ウェブページの該当領域に埋め込むことを含むことを特徴とする、請求項５に記載の航空券情報提供方法。
【請求項７】
前記所要時間が最も少ない代表的な航空券情報を含むグループに対応する領域は、
前記価格が同じ代表的な航空券情報の表示のための選択メニューを含むことを特徴とする、請求項６に記載の航空券情報提供方法。
【請求項８】
前記航空券情報を埋め込むことは、
前記第２ウェブページの各領域に対応する飛行機便名の出発時間、到着時間および所要時間のうちの少なくとも一つを前記各領域にさらに埋め込むことを含むことを特徴とする、請求項２〜７のいずれか一項に記載の航空券情報提供方法。
【請求項９】
前記航空券情報提供方法は、
航空券の予約が可能な飛行機便名に対応するグループに含まれている航空券情報のみを前記第２ウェブページに埋め込むことをさらに含むことを特徴とする、請求項１〜８のいずれか一項に記載の航空券情報提供方法。
【請求項１０】
前記複数の航空券情報を収集することは、
前記ユーザ端末から、ユーザによって入力された検索条件を受信することと、
前記検索条件をさらに考慮して、前記航空スケジュール情報に対応する複数の航空券情報を収集することを含むことを特徴とする、請求項１〜９のいずれか一項に記載の航空券情報提供方法。
【請求項１１】
前記航空券情報提供方法は、
前記ユーザ端末から、航空券の検索のためにユーザによって入力された検索語を受信することと、
前記受信された検索語に対する検索結果として、前記航空スケジュール情報の入力のための第１ウェブページを前記ユーザ端末へ伝送することをさらに含むことを特徴とする、請求項１〜１０のいずれか一項に記載の航空券情報提供方法。
【請求項１２】
前記第１ウェブページは、
出発地の入力のための第１入力メニューおよび到着地の入力のための第２入力メニューを含むことを特徴とする、請求項１１に記載の航空券情報提供方法。
【請求項１３】
前記航空券情報提供方法は、
前記ユーザによって入力された検索語の類型を分析して、前記第１入力メニューおよび前記第２入力メニューのうちの少なくとも一つに、既に設定された場所の名称を入力することをさらに含むことを特徴とする、請求項１２に記載の航空券情報提供方法。
【請求項１４】
前記既に設定された場所の名称を入力することは、
航空券に対応するものと既に設定された第１類型の検索語が前記受信された検索語に含まれている場合、ユーザの検索回数に基づいて既に決定された第１国の都市名および第２国の都市名を前記第１入力メニューおよび第２入力メニューに入力することを含むことを特徴とする、請求項１３に記載の航空券情報提供方法。
【請求項１５】
前記既に設定された場所の名称を入力することは、
航空券に対応するものと既に設定された第１類型の検索語、および国名または大陸名に対応するものと既に設定された第２類型の検索語が前記受信された検索語に含まれている場合、ユーザの検索回数に基づいて既に決定された第１国の都市名を前記第１入力メニューに入力し、
前記第２類型の検索語に該当する国の都市名のうち、ユーザの検索回数に基づいて決定される都市名を、前記第２入力メニューに入力することを含むことを特徴とする、請求項１３または１４に記載の航空券情報提供方法。
【請求項１６】
前記既に設定された場所の名称を入力することは、
航空券に対応するものと既に設定された第１類型の検索語、および都市名に対応するものと既に設定された第３類型の検索語が前記受信された検索語に含まれている場合、ユーザの検索回数に基づいて既に決定された第１国の都市名を前記第１入力メニューに入力し、前記第３類型の検索語に該当する都市名を前記第２入力メニューに入力することを含むことを特徴とする、請求項１３〜１５のいずれか一項に記載の航空券情報提供方法。
【請求項１７】
請求項１〜１６のいずれか一項に記載の航空券情報提供方法を実行させるためのコンピュータプログラム。
【請求項１８】
ユーザ端末から、第１ウェブページを介して入力された航空スケジュール情報を受信する受信部と、
前記受信された航空スケジュール情報に対応する複数の航空券情報を収集し、前記収集された複数の航空券情報を飛行機便名に基づいて少なくとも一つのグループにグループ化する制御部と、
前記少なくとも一つのグループそれぞれに含まれている航空券情報がグループ別に区分された各領域に表示される第２ウェブページを前記ユーザ端末へ伝送する伝送部と、
前記少なくとも一つのグループのうちのいずれかのグループに含まれている航空券情報が複数である場合、複数の航空券情報それぞれの価格に基づいて決定される航空券情報を前記グループの代表的な航空券情報として決定する決定部と、を含み、
前記伝送部は、
前記グループそれぞれの代表的な航空券情報のうち価格が同じ代表的な航空券情報が存在する場合、価格が同じ代表的な航空券情報のうち所要時間が最も少ない代表的な航空券情報のみを前記第２ウェブページの該当領域に埋め込むことを特徴とする、サーバー装置。
【請求項１９】
請求項１８に記載のユーザ端末が実行するユーザに対する航空券情報提供方法であって、
前記ユーザから第１ウェブページを介して航空スケジュール情報の入力を受けることと、前記航空スケジュール情報を請求項１８に記載のサーバ装置へ伝送することと、
前記航空スケジュール情報に対応する複数の航空券情報が飛行機便名に基づいて区分された各領域に表示される第２ウェブページを前記サーバ装置から受信することと、
前記第２ウェブページを表示することを含み、
上記区分のいずれかの区分に含まれている航空券情報が複数ある場合、複数の航空券情報のそれぞれの価格に応じて決定される航空券情報が前記区分の代表的な航空券情報と決定され、前記第２ウェブページに表示され、
上記区分それぞれの代表的な航空券の情報の中で、価格は同じ代表的な航空券の情報が存在する場合、価格が同じ代表的な航空券の情報の中で時間が最も少ない代表的な航空券情報のみが前記第２ウェブページの該当領域に埋め込まれることを特徴とする、航空券情報提供方法。
【請求項２０】
ユーザから第１ウェブページを介して航空スケジュール情報の入力を受けるユーザ入力部と、
前記航空スケジュール情報を請求項１８に記載のサーバ装置へ伝送する伝送部と、
前記航空スケジュール情報に対応する複数の航空券情報が飛行機便名に基づいて区分された各領域に表示される第２ウェブページを前記サーバ装置から受信する受信部と、
前記第２ウェブページを表示するディスプレイと、を含み、
上記区分のいずれかの区分に含まれている航空券情報が複数ある場合、複数の航空券情報のそれぞれの価格に応じて決定される航空券情報が前記区分の代表的な航空券情報と決定され、前記第２ウェブページに表示され、
上記区分それぞれの代表的な航空券の情報の中で、価格は同じ代表的な航空券の情報が存在する場合、価格が同じ代表的な航空券の情報の中で時間が最も少ない代表的な航空券情報のみが前記第２ウェブページの該当領域に埋め込まれることを特徴とする、請求項１８に記載のユーザ端末である、端末装置。
【発明の詳細な説明】
【技術分野】
【０００１】
本発明は、サーバ装置、ユーザ端末、およびこれらによる航空券情報提供方法に関する。より具体的には、本発明は、ユーザに航空券情報を提供するサーバ装置、ユーザ端末、およびこれらによる航空券情報提供方法に関する。
【背景技術】
【０００２】
最近、所得の増加に伴い、海外旅行をする人の数が急増している。韓国の場合、２０１４年だけで約１６００万人の国民が海外旅行をしたものと推定され、その数は今後さらに増加すると予想されている。
【０００３】
一般的な海外旅行者は、インターネットを介して海外旅行地の情報だけでなく航空券情報も獲得する。特に、より価格が安く所要時間が短い航空券を選択するために、多くのユーザは、多数の旅行会社サイトを訪れ、それぞれの旅行会社サイトで提供する航空券の価格を直接比較する手間をかける。
【０００４】
航空券を検索するユーザの便宜を図るために、各旅行会社サイトの航空券情報を予め収集し、収集された航空券情報をユーザに提供するサービスが提供されている。ところが、現在ユーザが利用可能なサービスについてもユーザの不便をきたす面があるので、ユーザの不便を最小化することが可能な方案が求められる。
【先行技術文献】
【特許文献】
【０００５】
【特許文献１】韓国特許公開第１０−２００２−００２３５５６号公報
【発明の概要】
【発明が解決しようとする課題】
【０００６】
本発明の一実施形態に係るサーバ装置、ユーザ端末、およびこれらによる航空券情報提供方法は、ユーザによる航空券の検索の便宜性を向上させることを目的とする。
【０００７】
また、本発明の一実施形態に係るサーバ装置、ユーザ端末、およびこれらによる航空券情報提供方法は、航空券情報をユーザに提供する上でユーザが重要と考える要素を予め反映させることを目的とする。
【０００８】
また、本発明の一実施形態に係るサーバ装置、ユーザ端末、およびこれらによる航空券情報提供方法は、改善されたＵＩ（ｕｓｅｒ ｉｎｔｅｒｆａｃｅ）を介して航空券情報をより効果的に提供することを目的とする。
【課題を解決するための手段】
【０００９】
本発明の一側面による航空券情報提供方法は、サーバ装置による航空券情報提供方法であって、ユーザ端末から、第１ウェブページを介してユーザによって入力された航空スケジュール情報を受信することと、前記受信された航空スケジュール情報に対応する複数の航空券情報を収集することと、前記収集された複数の航空券情報を飛行機便名に基づいて少なくとも一つのグループにグループ化することと、前記少なくとも一つのグループそれぞれに含まれている航空券情報がグループ別に区分されて表示される第２ウェブページを前記ユーザ端末へ伝送することを含む。
【００１０】
本発明の他の側面によるサーバ装置は、ユーザ端末から、第１ウェブページを介して入力された航空スケジュール情報を受信する受信部と、前記受信された航空スケジュール情報に対応する複数の航空券情報を収集し、前記収集された複数の航空券情報を飛行機便名に基づいて少なくとも一つのグループにグループ化する制御部と、前記少なくとも一つのグループそれぞれに含まれている航空券情報がグループ別に区分されて表示される第２ウェブページを前記ユーザ端末へ伝送する伝送部とを含む。
【００１１】
本発明の別の側面による航空券情報提供方法は、端末装置を用いたユーザに対する航空券情報提供方法であって、前記ユーザから第１ウェブページを介して航空スケジュール情報の入力を受けることと、前記航空スケジュール情報をサーバ装置へ伝送することと、前記航空スケジュール情報に対応する複数の航空券情報が飛行機便名に基づいて区分されて表示される第２ウェブページを前記サーバ装置から受信することと、前記第２ウェブページを表示することを含む。
【００１２】
本発明の別の側面による端末装置は、ユーザから第１ウェブページを介して航空スケジュール情報の入力を受けるユーザ入力部と、前記航空スケジュール情報をサーバ装置へ伝送する伝送部と、前記航空スケジュール情報に対応する複数の航空券情報が飛行機便名に基づいて区分されて表示される第２ウェブページを受信する受信部と、前記第２ウェブページを表示するディスプレイとを含む。
【発明の効果】
【００１３】
本発明の一実施形態に係るサーバ装置、ユーザ端末、およびこれらによる航空券情報提供方法は、ユーザによる航空券の検索の便宜性を向上させることができる。
【００１４】
また、本発明の一実施形態に係るサーバ装置、ユーザ端末、およびこれらによる航空券情報提供方法は、ユーザが重要と考える要素を予め反映させることにより、ユーザによる航空券の選択の労力を省くことができる。
【００１５】
また、本発明の一実施形態に係るサーバ装置、ユーザ端末、およびこれらによる航空券情報提供方法は、改善されたＵＩ（ｕｓｅｒ ｉｎｔｅｒｆａｃｅ）を介して航空券情報をより効果的に提供することができる。
【００１６】
また、本発明の一実施形態に係るサーバ装置、ユーザ端末、およびこれらによる航空券情報提供方法は、いろいろな航空券情報を飛行機便名に基づいてグループ化することにより、ユーザが航空券情報を容易に確認することができるようにする。
【図面の簡単な説明】
【００１７】
【図１】本発明の一実施形態に係るサーバ装置とユーザ端末を示す概略図である。
【図２】本発明の一実施形態に係る航空券情報提供方法を示すフローチャートである。
【図３】図２のＳ２１０段階を詳細に示すフローチャートである。
【図４】ユーザ端末の画面に表示される第１ウェブページを示す例示図である。
【図５ａ】サーバ装置によって収集された複数の航空券情報を示す例示図である。
【図５ｂ】図５ａに示した航空券情報が表示された第２ウェブページを示す例示図である。
【図６ａ】サーバ装置によって収集された複数の航空券情報を示す例示図である。
【図６ｂ】図６ａに示した航空券情報が表示された第２ウェブページを示す例示図である。
【図６ｃ】図６ｂに示した選択メニューが選択されたときに表示されるウェブページを示す例示図である。
【図７】本発明の一実施形態に係るサーバ装置の構成を示すブロック図である。
【図８】本発明の他の実施形態に係る航空券情報提供方法を示すフローチャートである。
【図９】本発明の別の実施形態に係るユーザ端末の構成を示すブロック図である。
【図１０ａ】一般的な航空券情報提供サービスによってユーザ端末の画面に表示されるウェブページを示す図である。
【図１０ｂ】図１０ａに示した第１メニューが選択されたときに画面に表示されるウェブページを示す図である。
【図１０ｃ】図１０ａに示した第２メニューが選択されたときに画面に表示されるウェブページを示す図である。
【発明を実施するための形態】
【００１８】
本発明の利点、特徴、およびそれらを達成する方法は、添付図面と共に詳細に後述されている実施形態を参照すると明確になるだろう。しかし、本発明は、以下で開示する実施形態に限定されるものではなく、互いに異なる様々な形態で実現できる。但し、本実施形態は、本発明の開示を完全たるものにし、本発明の属する技術分野における通常の知識を有する者に発明の範疇を完全に知らせるために提供されるものである。本発明は、請求項の範疇のみによって定められる。明細書全体にわたり、同一の参照符号は同一の構成要素を指し示す。
【００１９】
本実施形態で使用される「部」という用語はソフトウェア、ＦＰＧＡまたはＡＳＩＣなどのハードウェア構成要素を意味し、「部」はいずれかの役割を果たす。ところが、「部」はソフトウェアまたはハードウェアに限定される意味ではない。「部」は、アドレッシングすることが可能な記憶媒体に存在するように構成されてもよく、一つまたはそれ以上のプロセッサを再生させるように構成されてもよい。したがって、一例として、「部」は、ソフトウェア構成要素、オブジェクト指向ソフトウェア構成要素、クラス構成要素およびタスク構成要素などの構成要素と、プロセス、関数、属性、プロシージャ、サブルーチン、プログラムコードのセグメント、ドライバー、ファームウェア、マイクロコード、回路、データ、データベース、データ構造、テーブル、アレイおよび変数を含む。構成要素と「部」の中で提供される機能は、より少ない数の構成要素および「部」として結合されてもよく、追加的な構成要素と「部」にさらに分離されてもよい。
【００２０】
前述したように、航空券を検索するユーザの便宜を図るために、各旅行会社サイトの航空券情報を予め収集し、収集された航空券情報をユーザに提供するサービスが提供されているが、図１０ａは一般的な航空券情報提供サービスによってユーザ端末の画面に表示されるウェブページを示している。
【００２１】
一般的な航空券情報提供サービスは、様々な旅行会社サイトの航空券情報を収集した後、収集された航空券情報を価格順などに並べ替えてユーザへ提供する。
【００２２】
このような一般的な航空券情報提供サービスは、ユーザが直接旅行会社サイトを訪れなければならない不便を減少させるが、図１０ａに示すように、ユーザは、単に航空券の価格情報のみを確認することができ、該当航空券の予約が可能か該当航空券の出発時間が何時であるかなどの情報を確認するためにはユーザが各航空券の詳細照会を繰り返し行わなければならないという不便があった。
【００２３】
図１０ｂは図１０ａに示した第１メニュー１１を選択したときに表示されるウェブページであり、図１０ｃは図１０ａに示した第２メニュー１３を選択したときに表示されるウェブページであるが、図１０ｂおよび図１０ｃに示すように、ユーザは、第１メニュー１１または第２メニュー１３を選択した後で、航空便の残席があるか航空便のスケジュールが何時であるかを確認することができる。
【００２４】
また、図１０ｂおよび図１０ｃに示した航空券がいずれもチェジュ航空７ｃ １１０２便とチェジュ航空７ｃ １１０１便の航空券であるので、残席の数とスケジュールが互いに同じであるにも拘わらず、一般的な航空券情報提供サービスは、ユーザが第１メニュー１１を選択して該当航空券の残席なしと該当航空券のスケジュールを認知した後で、第２メニュー１３を選択して残席の有無とスケジュールを再度確認するしかない構造であるから、ユーザの便宜を図れる航空券情報が提供されていない。
【００２５】
本発明の一実施形態に係るサーバ装置１００、ユーザ端末２００およびこれらによる航空券情報提供方法は、収集された航空券情報を飛行機便名に基づいて区分してユーザへ提供するので、一般的な航空券情報提供サービスに比べてユーザの便宜を増進させることができる。
【００２６】
図１は本発明の一実施形態に係るサーバ装置１００とユーザ端末２００を示す概略図である。
【００２７】
図１に示すように、サーバ装置１００とユーザ端末２００はネットワーク１０を介して互いに接続される。ネットワーク１０は、有線ネットワークと無線ネットワークを含むことができ、具体的には、ローカルエリアネットワーク（ＬＡＮ：Ｌｏｃａｌ Ａｒｅａ Ｎｅｔｗｏｒｋ）、都市規模ネットワーク（ＭＡＮ：Ｍｅｔｒｏｐｏｌｉｔａｎ Ａｒｅａ Ｎｅｔｗｏｒｋ）、広域ネットワーク（ＷＡＮ：Ｗｉｄｅ Ａｒｅａ Ｎｅｔｗｏｒｋ）などの様々なネットワークを含むことができる。また、ネットワーク１０は、公知のワールドワイドウェブ（ＷＷＷ：Ｗｏｒｌｄ Ｗｉｄｅ Ｗｅｂ）を含むこともできる。ところが、本発明に係るネットワーク１０は、列挙されたネットワークに限定されず、公知の無線データネットワークまたは公知の電話ネットワークまたは公知の有無線テレビジョンネットワークを少なくとも一部として含むこともできる。
【００２８】
サーバ装置１００はウェブサーバーを含むことができ、ユーザ端末２００の要求に応じて、航空券情報を含むウェブページをユーザ端末２００へ伝送する。図１には示していないが、サーバ装置１００は、いろいろな旅行会社のサーバまたは航空会社のサーバに接続され、各旅行会社のサーバおよび航空会社のサーバから航空券情報を収集することができる。
【００２９】
ユーザ端末２００は、サーバ装置１００に航空券情報を要求し、航空券情報の含まれているウェブページをサーバ装置１００から受信して表示する。ユーザ端末２００は、ウェブブラウザなどの所定のアプリケーションを介してサーバ装置１００から伝送されるウェブページを実行することができる。
【００３０】
ユーザ端末２００は、スマートフォン、デスクトップコンピュータ、ノートパソコン、ＰＤＡ、ウェブパッド、タブレットＰＣなどのネットワーク１０を介してサーバ装置１００と通信することが可能な装置であれば、様々な種類の端末装置を含むことができる。
【００３１】
以下、図２を参照してサーバ装置１００の動作について説明する。
【００３２】
図２は本発明の一実施形態に係る航空券情報提供方法を示すフローチャートである。
【００３３】
Ｓ２１０段階で、サーバ装置１００は、ユーザ端末２００から、第１ウェブページを介してユーザによって入力された航空スケジュール情報を受信する。航空スケジュール情報は、出発地、到着地、出発日および到着日の少なくとも一つに関する情報を含むことができる。ユーザはユーザ端末２００の画面に表示された第１ウェブページを介して航空スケジュール情報を入力することができるが、これについては図３及び図４を参照して後述する。
【００３４】
Ｓ２２０段階で、サーバ装置１００は航空スケジュール情報に対応する複数の航空券情報を収集する。サーバ装置１００は、航空会社のサイトおよび旅行会社のサイトなどからユーザの航空スケジュール情報に対応する複数の航空券情報を収集することができる。各航空券情報は、飛行機便名、出発地、到着地、出発時間、到着時間、所要時間、経由の有無および価格情報を含むことができる。
【００３５】
サーバ装置１００は、ユーザ端末２００から、第１ウェブページを介してユーザによって入力された検索条件をさらに受信することができるが、サーバ装置１００は、航空スケジュール情報と検索条件をさらに考慮して複数の航空券情報を収集することができる。検索条件は、例えば、所要時間、価格、経由の有無、決済手段の種類、および決済カードのカード会社の少なくとも一つを含む。検索条件は、収集される航空券情報を限定することができる様々な種類の条件を含むことができる。例えば、ユーザが１５時間〜２０時間の所要時間を検索条件として設定した場合、サーバ装置１００は、所要時間が１５時間〜２０時間の航空券情報のみを収集することができる。
【００３６】
Ｓ２３０段階で、サーバ装置１００は、収集された複数の航空券情報を飛行機便名に基づいて少なくとも一つのグループにグループ化する。つまり、同じ飛行機便名の航空券情報を同じグループに含ませるのである。もし、収集される航空券情報が往復航空券情報である場合、サーバ装置１００は、出発するときの飛行機便名と到着するときの飛行機便名が全て同じ航空券情報を同じグループに含ませることができる。
【００３７】
Ｓ２４０段階で、サーバ装置１００は、少なくとも一つのグループそれぞれに含まれている航空券情報がグループ別に区分されて表示される第２ウェブページをユーザ端末２００へ伝送する。
【００３８】
本発明の一実施形態に係る航空券情報提供方法によれば、ユーザは、第２ウェブページから飛行機便名に基づいて区分されたいろいろな航空券情報を確認することができるので、いずれかの飛行機便名に対応する航空券情報はすべて同じ出発時間、到着時間および所要時間を有することを予め知ることができる。ユーザは、自分の所望する飛行スケジュールに合致する飛行機便名についての航空券情報のみを照会することができるので、ユーザが各航空券情報の詳細照会を繰り返し行わなければならない従来のサービスの問題点を解決することができる。
【００３９】
また、サーバ装置１００は、航空券情報を第２ウェブページに埋め込むにあたり、航空券の予約が可能な飛行機便名に対応するグループの航空券情報のみを第２ウェブページに埋め込むことができる。例えば、第１飛行機便名、第２飛行機便名及び第３飛行機便名のうち、第１飛行機便名についてのみ航空券の予約が可能な場合、サーバ装置１００は、第１飛行機便名に対応するグループの航空券情報のみを第２ウェブページに埋め込むことができる。これにより、ユーザは航空券の予約が可能な航空券情報のみを確認することができる。
【００４０】
一方、サーバ装置１００は、第２ウェブページをユーザ端末２００へ伝送した後、第２ウェブページの航空券情報のうちいずれか一つの航空券情報の購入要求がユーザ端末２００から受信されると、該当航空券情報を提供する旅行会社のサーバにユーザ端末２００を接続させる。ユーザ端末２００は、旅行会社のサーバと通信をして、該当航空券の予約および決済を行うことができる。
【００４１】
図３は図２のＳ２１０段階を詳細に示すフローチャートであり、図４はユーザ端末２００の画面に表示される第１ウェブページを示す例示図である。
【００４２】
Ｓ３１０段階で、サーバ装置１００は、ユーザ端末２００から、航空券の検索のためにユーザによって入力された検索語を受信する。ユーザは、検索語を入力するためのウェブページに検索語を入力することができる。
【００４３】
Ｓ３２０段階で、サーバ装置１００は、ユーザ端末２００から受信された検索語を分析する。サーバ装置１００は、受信された検索語に、「航空券」に対応するものと既に設定された第１類型の検索語が含まれているかを判断することができる。第１類型の検索語は、例えば、「航空券」、「飛行機の切符」、「飛行機のチケット」または「航空チケット」を含むことができるが、これに限定されるものではない。サーバ装置１００は、第１類型の検索語が受信された検索語に含まれている場合、ユーザ端末２００のユーザが航空券情報を検索しようとしていることを知ることができる。
【００４４】
Ｓ３３０段階で、サーバ装置１００は、ユーザが航空券を検索しようとしていることを知ると、出発地の入力のための第１入力メニューと到着地の入力のための第２入力メニューを含む第１ウェブページをユーザ端末２００へ伝送する。
【００４５】
図４を参照すると、第１ウェブページは、出発地の入力のための第１入力メニュー４３０、到着地の入力のための第２入力メニュー４５０、および旅行時期の入力のための第３入力メニュー４７０を含むことができる。図４に示した第１ウェブページは、ユーザの航空スケジュール情報の入力を受けるためにユーザ端末２００へ伝送される。図４の第１ウェブページは一つの例示に過ぎず、第１ウェブページに埋め込まれている各入力メニュー４３０、４５０、４７０の模様および種類は当業者によって様々に変更できる。
【００４６】
具現例によっては、サーバ装置１００は、第１ウェブページを介して航空スケジュール情報を受信した後、より正確な航空スケジュール情報の受信のための他のウェブページをユーザ端末２００へ伝送することもできる。
【００４７】
Ｓ３４０段階で、サーバ装置１００は、第１ウェブページを介してユーザ端末２００から航空スケジュール情報を受信する。前述したように、航空スケジュール情報が受信された後、サーバ装置１００は、航空スケジュール情報に対応する複数の航空券情報を収集することができる。
【００４８】
一方、本発明の一実施形態に係るサーバ装置１００は、第１ウェブページをユーザ端末２００へ伝送するとき、第１入力メニューと第２入力メニューそれぞれに、ユーザの意図に合致する場所の名称を予め入力することができる。
【００４９】
例えば、ユーザ端末２００から受信された検索語に前述した第１類型の検索語が含まれている場合、サーバ装置１００は、ユーザの検索回数に基づいて既に決定された第１国の都市名および第２国の都市名を第１入力メニューおよび第２入力メニューに入力することができる。具体的には、過去にユーザが韓国の仁川から米国のＬＡへの航空券を多く検索した場合、サーバ装置１００は、第１ウェブページの第１入力メニューに仁川を入力し、第２入力メニューにＬＡを入力して該当第１ウェブページをユーザ端末２００へ伝送することができる。
【００５０】
別の例として、ユーザ端末２００から受信された検索語に、第１類型の検索語、および国名または大陸名に対応するものと既に設定された第２類型の検索語が含まれている場合、サーバ装置１００は、まず、ユーザの検索回数に基づいて既に決定された第１国の都市名を第１入力メニューに入力し、受信された検索語に含まれている第２類型の検索語に該当する国の都市名のうち、ユーザの検索回数に基づいて決定される都市名を第２入力メニューに入力することができる。例えば、ユーザ端末２００から受信された検索語が「フランス航空券」である場合、サーバ装置１００は、「フランス」を第２類型の検索語、「航空券」を第１類型の検索語としてそれぞれ判断した後、第１入力メニューには、既に決定された第１国の都市名（例えば、韓国の仁川）を入力し、第２入力メニューには、フランスの都市名のうち、ユーザの検索回数に基づいて決定される都市名（例えば、パリ）を入力するのである。これは、ユーザが航空券の検索のために検索語を入力するとき、検索語に到着地情報を含ませる場合が多いことを考慮したものである。
【００５１】
別の例として、ユーザ端末２００から受信された検索語に、第１類型の検索語、および都市名に対応するものと既に設定された第３類型の検索語が含まれている場合、サーバ装置１００は、ユーザの検索回数に基づいて既に決定された第１国の都市名を第１入力メニューに入力し、受信された検索語に含まれている第３類型の検索語に該当する都市名を第２入力メニューに入力することができる。例えば、端末装置から受信された検索語が「パリ航空券」である場合、サーバ装置１００は、「パリ」を第３類型の検索語、「航空券」を第１類型の検索としてそれぞれ判断した後、第１入力メニューには既に決定された第１国の都市名（例えば、韓国の仁川）を入力し、第２入力メニューには第３類型の検索語に対応する都市名、すなわち「パリ」を入力するのである。
【００５２】
サーバ装置１００によって第１ウェブページに入力された出発地および到着地はユーザによって変更されうるものとすることは自明である。
【００５３】
一方、サーバ装置１００によって収集された複数の航空券情報は、少なくとも一つのグループにグループ化された後、第２ウェブページを介してユーザ端末２００へ伝送されると前述したが、これについては図５ａ、図５ｂおよび図６ａ〜図６ｃを参照して説明する。
【００５４】
図５ａはサーバ装置１００によって収集された複数の航空券情報を示す例示図であり、図５ｂは図５ａに示した航空券情報が表示された第２ウェブページを示す例示図である。
【００５５】
図５ａはサーバ装置１００によって収集された航空券情報が計６個である場合を示しているが、航空券情報の数は変更されうる。
【００５６】
サーバ装置１００は収集された複数の航空券情報を飛行機便名に基づいて少なくとも一つのグループにグループ化するが、図５ａに示した航空券情報はすべて往復航空券に該当するので、サーバ装置１００は往復の飛行機便名がすべて同一である航空券情報を一つのグループにグループ化する。
【００５７】
図５ａの第１航空券情報、第３航空券情報及び第６航空券情報の飛行機便名はすべて同じ（ＡＡ００１とＡＡ００２）であるので、第１航空券情報、第３航空券情報及び第６航空券情報は第１グループに含まれる。第２航空券情報は単独で第２グループに含まれ、第４航空券情報と第５航空券情報は第３グループに含まれる。グループに含まれている各航空券情報の出発時間、到着時間および所要時間はすべて同じであることが分かる。
【００５８】
第１グループ、第２グループ及び第３グループに含まれているすべての航空券情報を飛行機便名別に区分して第２ウェブページに埋め込むことも可能であるが、本発明の一実施形態に係るサーバ装置１００は、各グループに含まれている航空券情報のうちグループ別の代表的な航空券情報を決定して代表的な航空券情報のみを第２ウェブページに埋め込むこともできる。
【００５９】
例えば、サーバ装置１００は、各グループに含まれている航空券情報の価格に基づいて各グループ別の代表的な航空券情報を決定することができる。第１グループに含まれている航空券情報のうち、第１航空券情報の価格（７００，０００ウォン）が最も安価なので、第１航空券情報が代表的な航空券情報として決定されてもよい。第２グループには第２航空券情報のみが含まれているので、第２航空券情報が代表的な航空券情報として決定され、第３グループでは第４航空券情報が代表的な航空券情報として決定されてもよい。
【００６０】
サーバ装置１００は、第２ウェブページを少なくとも一つの領域に区分し、各領域に少なくとも一つのグループそれぞれの代表的な航空券情報を埋め込むことができる。この場合、サーバ装置１００は、少なくとも一つのグループそれぞれの代表的な航空券情報の価格および所要時間のうちの少なくとも一つに基づいて決定される順序で、少なくとも一つの領域の最上位領域から最下位領域まで代表的な航空券情報を並べ替えて表示することができる。例えば、価格に基づいて代表的な航空券情報の順位を決定する場合、第１グループの第１航空券情報、第３グループの第４航空券情報及び第２グループの第２航空券情報の順に順位が決定される。
【００６１】
図５ｂを参照すると、第２ウェブページが第１領域５１０ａ、第２領域５１０ｂ及び第３領域５１０ｃに区分された場合、第１領域５１０ａには第１グループの第１航空券情報、第２領域５１０ｂには第３グループの第４航空券情報、第３領域５１０ｃには第２グループの第２航空券情報がそれぞれ表示されていることが分かる。ユーザは、いずれか一つの領域を選択して該当グループの残りの航空券情報を確認することができる。
【００６２】
ユーザが整列メニュー５５０を選択して整列オプションを飛行時間に変更した場合、飛行時間に基づいて各代表的な航空券情報の順位が決定され、それに基づいてグループ別の代表的な航空券情報が第２ウェブページの各領域５１０ａ、５１０ｂ、５１０ｃに表示される。
【００６３】
具現例によっては、サーバ装置１００は、各グループの代表的な航空券情報の順位を決定する上で、代表的な航空券情報の出発地と到着地の間の距離を考慮した後、価格または所要時間に基づいてこれらの順位を決定することもできる。例えば、代表的な航空券情報の出発地と到着地の間の距離が近い場合には価格に基づいてこれらの順位を決定し、出発地と到着地の間の距離が遠い場合には所要時間に基づいてこれらの順位を決定することもできる。
【００６４】
一方、図５ｂを参照すると、各領域５１０ａ、５１０ｂ、５１０ｃに含まれている代表的な航空券情報は、代表的な航空券情報の航空会社、出発時間、到着時間、所要時間、経由の有無、価格情報を含むことができるが、これに限定されるものではない。各領域５１０ａ、５１０ｂ、５１０ｃの代表的な航空券情報は、代表航空券の購入条件、例えば、決済カードのカード会社情報５３０をさらに含むこともできる。
【００６５】
図６ａはサーバ装置１００によって収集される複数の航空券情報を示す例示図、図６ｂは図６ａに示した航空券情報が表示された第２ウェブページを示す例示図である。また、図６ｃは図６ｂに示した選択メニューが選択されたときに表示されるウェブページを示す例示図である。
【００６６】
各グループ別の代表的な航空券情報の価格がすべて異なる場合には、価格に基づいて代表的な航空券情報の順位を決定することができるが、図６ａに示すように、第４グループに区分される第７航空券情報の価格が第１グループの第１航空券情報の価格と同じである場合、これらの間の順位が問題になる。
【００６７】
サーバ装置１００は、第１グループの第１航空券情報の価格と第４グループの第７航空券情報の価格が同一である場合、第１航空券情報の所要時間と第７航空券情報の所要時間とを比較して、所要時間がより短い航空券情報の順位をさらに高く決定することができる。これにより、第１グループの第１航空券情報、第４グループの第７航空券情報、第３グループの第４航空券情報および第２グループの第２航空券情報の順に順位を決定してもよい。
【００６８】
サーバ装置１００は、第１グループの第１航空券情報、第４グループの第７航空券情報、第３グループの第４航空券情報及び第２グループの第２航空券情報を順位に基づいて並べ替えて第２ウェブページに埋め込むことができる。または、図６ｂに示すように、サーバ装置１００は、第１航空券情報と第７航空券情報のうち、順位がより高い第１航空券情報のみを第１領域５１０ａに埋め込み、第１領域５１０ａには別途の選択メニュー６１０を埋め込むこともできる。ユーザによって選択メニュー６１０が選択された場合、図６ｃに示すように、サーバ装置１００は、第１航空券情報、および第１航空券情報と価格が同一であるが第１航空券情報の所要時間よりも所要時間が長い第７航空券情報を示すウェブページをユーザ端末２００へ伝送することができる。ユーザは、選択メニュー６１０を選択することにより、価格は同一であるが飛行スケジュールが異なるいろいろな種類の航空券情報を一度に確認することができる。
【００６９】
図７は本発明の一実施形態に係るサーバ装置７００の構成を示すブロック図である。
【００７０】
図７を参照すると、本発明の一実施形態に係るサーバ装置７００は、受信部７１０、制御部７３０および伝送部７５０を含むことができる。受信部７１０、制御部７３０および伝送部７５０は、メモリ（図示せず）に格納された少なくとも一つのプログラムの制御下に動作するプロセッサで構成できる。
【００７１】
受信部７１０は、ユーザ端末２００から、第１ウェブページを介してユーザによって入力された航空スケジュール情報を受信する。また、受信部７１０は、ユーザ端末２００から、航空券の検索のためにユーザによって入力された検索語を受信することができる。
【００７２】
制御部７３０は、受信された航空スケジュール情報に対応する複数の航空券情報を収集し、収集された複数の航空券情報を飛行機便名に基づいて少なくとも一つのグループにグループ化する。
【００７３】
制御部７３０は、少なくとも一つのグループそれぞれに含まれている航空券情報を飛行機便名別に区分して第２ウェブページに埋め込むことができる。この場合、制御部７３０は、少なくとも一つのグループそれぞれに対して代表的な航空券情報を決定し、代表的な航空券情報間の順位を決定した後、決定された順位で並べ替えて第２ウェブページに埋め込むことができる。
【００７４】
伝送部７５０は、少なくとも一つのグループそれぞれに含まれている航空券情報が表示される第２ウェブページをユーザ端末２００へ伝送する。また、伝送部７５０は、受信部７１０が航空券の検索のための検索語を受信した場合、航空スケジュール情報の入力のための第１ウェブページをユーザ端末２００へ伝送することができる。このとき、制御部７３０は、ユーザ端末２００によって伝送された検索語を分析し、分析結果に合致する出発地と到着地を第１ウェブページに埋め込むことができる。
【００７５】
以下、図８を参照して、本発明の一実施形態に係るユーザ端末２００の動作を説明する。
【００７６】
図８は本発明の他の実施形態に係る航空券情報提供方法を示すフローチャートである。
【００７７】
Ｓ８１０段階で、ユーザ端末２００は、ユーザから第１ウェブページを介して航空スケジュール情報の入力を受ける。ユーザ端末２００は、ユーザによって入力された検索語をサーバ装置１００へ伝送した後、サーバ装置１００から伝送される第１ウェブページを受信して画面に表示することができる。
【００７８】
Ｓ８２０段階で、ユーザ端末２００は、ユーザによって入力された航空スケジュール情報をサーバ装置１００へ伝送する。ユーザによって検索条件がさらに入力された場合、ユーザ端末２００は、航空スケジュール情報と一緒に検索条件をサーバ装置１００へ伝送することができる。
【００７９】
Ｓ８３０段階で、ユーザ端末２００は、航空スケジュール情報に対応する複数の航空券情報が飛行機便名に基づいて区分されて表示される第２ウェブページをサーバ装置１００から受信する。
【００８０】
Ｓ８４０段階で、ユーザ端末２００は第２ウェブページを表示する。
【００８１】
図９は本発明の別の実施形態に係るユーザ端末９００の構成を示すブロック図である。
【００８２】
図９を参照すると、本発明の別の実施形態に係るユーザ端末９００は、ユーザ入力部９１０、伝送部９３０、受信部９５０およびディスプレイ９７０を含むことができる。伝送部９３０および受信部９５０は、メモリ（図示せず）に格納された少なくとも一つのプログラムの制御下に動作するプロセッサで構成できる。
【００８３】
ユーザ入力部９１０は、ユーザから所定の入力を受ける。ユーザ入力部９１０は、マウス、キーボード、タッチスクリーンなど、ユーザの入力を受信することができる様々な種類の入力装置を含むことができる。
【００８４】
ユーザ入力部９１０は、ユーザから第１ウェブページを介して航空スケジュール情報の入力を受ける。ユーザ入力部９１０は、ユーザから検索条件の入力をさらに受けることができる。
【００８５】
伝送部９３０は、ユーザ入力部９１０を介して入力された航空スケジュール情報をサーバ装置１００へ伝送する。
【００８６】
受信部９５０は、航空スケジュール情報に対応する複数の航空券情報が飛行機便名に基づいて区分されて表示される第２ウェブページを受信する。
【００８７】
ディスプレイ９７０は、受信された第２ウェブページを画面に表示する。
【００８８】
ユーザ入力部９１０を介して航空券の検索のための検索語が入力された場合、伝送部９３０は入力された検索語をサーバ装置１００へ伝送し、受信部９５０はサーバ装置１００から第１ウェブページを受信することができる。ディスプレイ９７０は、受信された第１ウェブページを画面に表示して、ユーザが航空スケジュール情報を入力するようにすることができる。
【００８９】
一方、上述した本発明の実施形態は、コンピュータで実行できるプログラムで作成可能であり、コンピュータ可読記録媒体を用いてプログラムを動作させる汎用デジタルコンピュータで実現できる。
【００９０】
コンピュータ可読記録媒体は、磁気記憶媒体（例えば、ＲＯＭ、フロッピー（登録商標）ディスク、ハードディスクなど）、光学式読取媒体（例えば、ＣＤ−ＲＯＭ、ＤＶＤなど）およびキャリアウェーブ（例えば、インターネットを介した転送）などの記憶媒体を含む。
【００９１】
以上、添付図面を参照して本発明の実施形態を説明したが、本発明の属する技術分野における通常の知識を有する者は、本発明がその技術的思想や必須的特徴を変更することなく他の具体的な形態で実施できることを理解することができるだろう。よって、上述した実施形態はあらゆる面で例示的なもので、限定的なものではないと理解すべきである。
【符号の説明】
【００９２】
１００、７００    サーバ装置
７１０    受信部
７３０    制御部
７５０    伝送部
２００、９００    ユーザ端末
９１０    ユーザ入力部
９３０    伝送部
９５０    受信部
９７０    ディスプレイ
【図１】
0006271473.tif 000002
【図２】
0006271473.tif 000003
【図３】
0006271473.tif 000004
【図４】
0006271473.tif 000005
【図５ａ】
0006271473.tif 000006
【図５ｂ】
0006271473.tif 000007
【図６ａ】
0006271473.tif 000008
【図６ｂ】
0006271473.tif 000009
【図６ｃ】
0006271473.tif 000010
【図７】
0006271473.tif 000011
【図８】
0006271473.tif 000012
【図９】
0006271473.tif 000013
【図１０ａ】
0006271473.tif 000014
【図１０ｂ】
0006271473.tif 000015
【図１０ｃ】
0006271473.tif 000016